(57)【要約】【課題】録画再生装置用のリモートコントロール機能を有する携帯電話の録画指示によって録画再生装置でコンテンツが録画された場合、どの携帯電話からの録画指示かを判別することを可能にする。【解決手段】携帯電話１０は、キー入力部３の操作により、録画予定の番組のチャンネル、時間（例えば、録画開始時間）等を指定するためのキー入力処理を行った後に、キー入力部３の送信キーが押下されると、固有情報記憶部６に記憶された固有情報と、キー入力処理で指定された操作データとを録画再生装置２０に赤外線出力する。携帯電話１０から録画指示を受けた録画再生装置２０は、録画指示されたコンテンツをスクランブル処理（暗号化処理）しながら録画し、該当する固有情報に対応付けて記憶する。【選択図】      図１
2007151139.tif 000002
【特許請求の範囲】
【請求項１】
録画再生装置用のリモートコントロール機能を有する携帯電話であって、
近距離無線通信により前記録画再生装置に対してリモートコントロール指示情報を送信する無線送信手段と、
前記録画再生装置に録画動作させるための録画指示情報を入力する録画指示入力手段と、
前記リモートコントロール機能が指定された状態にあって、前記録画指示入力手段で入力された録画指示情報を前記リモートコントロール指示情報として前記録画再生装置に対して送信する際は、当該録画指示情報に基づいて前記録画再生装置で録画されるコンテンツを当該携帯電話と対応付けるための固有情報と共に送信する送信制御手段と、
を備えることを特徴とする携帯電話。
【請求項２】
前記録画指示情報は、録画予定の番組のチャンネル及び時間の少なくともいずれか１つを含むことを特徴とする請求項１記載の携帯電話。
【請求項３】
前記録画再生装置に再生動作させるための再生指示情報を入力する再生指示入力手段を備え、
前記送信制御手段は、前記リモートコントロール機能が指定された状態にあって、前記再生指示入力手段で入力された再生指示情報を前記リモートコントロール指示情報として前記録画再生装置に対して送信する際は、当該携帯電話と対応付けられて録画された前記コンテンツを前記録画再生装置で抽出して再生するために、前記固有情報と共に送信することを特徴とする請求項１記載の携帯電話。
【請求項４】
録画再生装置用のリモートコントロール機能を有する携帯電話によってリモートコントロールされる録画再生装置であって、
録画指示されたコンテンツを録画する録画手段と、
近距離無線通信により前記携帯電話から送信されたリモートコントロール指示情報を受信する無線受信手段と、
前記携帯電話から送信されたリモートコントロール指示情報としての録画指示情報を、録画されるコンテンツを当該携帯電話と対応付けるための固有情報と共に受信した際は、受信した録画指示情報に基づいて、録画指示されたコンテンツを受信した固有情報と対応付けて前記録画手段で録画する録画制御手段と、
を備えることを特徴とする録画再生装置。
【請求項５】
前記携帯電話の操作によって録画指示されたか否かを判別する判別手段を備え、
前記録画制御手段は、前記判別手段で携帯電話の操作によって録画指示されたと判別された場合に、録画指示されたコンテンツを暗号化して前記録画手段で録画し、前記判別手段で携帯電話の操作によらずに録画指示されたと判別された場合に、録画指示されたコンテンツを暗号化しないで前記録画手段で録画することを特徴とする請求項４記載の録画再生装置。
【請求項６】
再生指示されたコンテンツを再生する再生手段と、
前記携帯電話から送信されたリモートコントロール指示情報としての再生指示情報を、前記固有情報と共に受信した際は、前記録画手段で録画されたコンテンツから、受信した固有情報と対応付けられて録画されたコンテンツを抽出する抽出手段と、
前記抽出手段で抽出されたコンテンツを前記再生手段で再生する再生制御手段と、
を備えることを特徴とする請求項４記載の録画再生装置。
【請求項７】
前記携帯電話の操作によって再生指示されたか否かを判別する判別手段を備え、
前記再生制御手段は、前記判別手段で携帯電話の操作によって再生指示されたと判別された場合に、前記抽出手段で抽出されたコンテンツが暗号化されていれば暗号化を解除して前記再生手段で再生することを特徴とする請求項６記載の録画再生装置。
【請求項８】
録画再生装置用のリモートコントロール機能を有する携帯電話と前記携帯電話によってリモートコントロールされる録画再生装置とからなる録画システムであって、
前記携帯電話は、
近距離無線通信により前記録画再生装置に対してリモートコントロール指示情報を送信する無線送信手段と、
前記録画再生装置に録画動作させるための録画指示情報を入力する録画指示入力手段と、
前記リモートコントロール機能が指定された状態にあって、前記録画指示入力手段で入力された録画指示情報を前記リモートコントロール指示情報として前記録画再生装置に対して送信する際は、当該録画指示情報に基づいて前記録画再生装置で録画されるコンテンツを当該携帯電話と対応付けるための固有情報と共に送信する送信制御手段と、
を備え、
前記録画再生装置は、
録画指示されたコンテンツを録画する録画手段と、
近距離無線通信により前記携帯電話から送信されたリモートコントロール指示情報を受信する無線受信手段と、
前記携帯電話から送信されたリモートコントロール指示情報としての録画指示情報を、録画されるコンテンツを当該携帯電話と対応付けるための固有情報と共に受信した際は、受信した録画指示情報に基づいて、録画指示されたコンテンツを受信した固有情報と対応付けて前記録画手段で録画する録画制御手段と、
を備えることを特徴とする録画システム。
【請求項９】
録画再生装置用のリモートコントロール機能を有する携帯電話のプログラムであって、
コンピュータに、
近距離無線通信により前記録画再生装置に対してリモートコントロール指示情報を送信する無線送信機能と、
前記録画再生装置に録画動作させるための録画指示情報を入力する録画指示入力機能と、
前記リモートコントロール機能が指定された状態にあって、前記録画指示入力機能で入力された録画指示情報を前記リモートコントロール指示情報として前記録画再生装置に対して送信する際は、当該録画指示情報に基づいて前記録画再生装置で録画されるコンテンツを当該携帯電話と対応付けるための固有情報と共に送信する送信制御機能と、
を実現させることを特徴とするプログラム。
【請求項１０】
録画再生装置用のリモートコントロール機能を有する携帯電話によってリモートコントロールされる録画再生装置のプログラムであって、
コンピュータに、
録画指示されたコンテンツを録画する録画機能と、
近距離無線通信により前記携帯電話から送信されたリモートコントロール指示情報を受信する無線受信機能と、
前記携帯電話から送信されたリモートコントロール指示情報としての録画指示情報を、録画されるコンテンツを当該携帯電話と対応付けるための固有情報と共に受信した際は、受信した録画指示情報に基づいて、録画指示されたコンテンツを受信した固有情報と対応付けて前記録画機能で録画する録画制御機能と、
を実現させることを特徴とするプログラム。
【発明の詳細な説明】
【技術分野】
【０００１】
本発明は、録画再生装置と録画再生装置用のリモートコントロール機能を有する携帯電話に関する。
【背景技術】
【０００２】
従来より、ＨＤＤレコーダー等の録画再生装置は、家庭やオフィスにおいて、複数の人によって使用されることが多く、録画再生装置により録画されたテレビ番組等のコンテンツを誰でも視聴することができる。特許文献１には、各個人が所有するＩＣカードを用いて各人の嗜好に合わせたコンテンツを録画し、録画をした人以外のアクセスを制限する技術が開示されている。
さらには、携帯情報端末から録画予約情報を録画・記録装置に送信し、その録画予約情報を受信した録画・記録装置は、その録画予約情報に基づいて、録画予約をセットするように構成した携帯端末による録画・記録装置のコントロールシステムが開示されている。
【特許文献１】特開２００２−３５４４２７号公報
【特許文献２】特開２００１−３０９２８８号公報
【発明の開示】
【発明が解決しようとする課題】
【０００３】
しかしながら上述のコントロールシステムでは、録画・記録装置に対して録画予約情報を送信することが可能な携帯端末が複数ある場合に、どの携帯端末から送信された録画予約情報に基づいて、録画・記録装置で録画予約がセットされたのかが分からないため、携帯端末のユーザが混乱してしまう。たとえば、家庭において上述のコントロールシステムを実現するために、録画・記録装置として録画再生装置があり、その録画再生装置用のリモートコントロール（リモコン）機能を有する携帯端末として家人のそれぞれが所有する携帯電話を利用する場合が考えられるが、家人のうち誰の携帯電話から送信された録画予約情報に基づいて、録画再生装置で録画予約がセットされたのかが分からないため、混乱を生じてしまう。
【０００４】
本発明の課題は、録画再生装置用のリモートコントロール機能を有する携帯電話の録画指示によって録画再生装置でコンテンツが録画された場合、どの携帯電話からの録画指示かを判別することを可能にすることである。
【課題を解決するための手段】
【０００５】
上記課題を解決するため、請求項１に記載の発明は、録画再生装置用のリモートコントロール機能を有する携帯電話であって、近距離無線通信により前記録画再生装置に対してリモートコントロール指示情報を送信する無線送信手段と、前記録画再生装置に録画動作させるための録画指示情報を入力する録画指示入力手段と、前記リモートコントロール機能が指定された状態にあって、前記録画指示入力手段で入力された録画指示情報を前記リモートコントロール指示情報として前記録画再生装置に対して送信する際は、当該録画指示情報に基づいて前記録画再生装置で録画されるコンテンツを当該携帯電話と対応付けるための固有情報と共に送信する送信制御手段と、を備えることを特徴としている。
また、前記録画指示情報は、録画予定の番組のチャンネル及び時間の少なくともいずれか１つを含むことが好ましい。
更に、前記録画再生装置に再生動作させるための再生指示情報を入力する再生指示入力手段を備え、前記送信制御手段は、前記リモートコントロール機能が指定された状態にあって、前記再生指示入力手段で入力された再生指示情報を前記リモートコントロール指示情報として前記録画再生装置に対して送信する際は、当該携帯電話と対応付けられて録画された前記コンテンツを前記録画再生装置で抽出して再生するために、前記固有情報と共に送信することが好ましい。
【０００６】
また、上記課題を解決するため、請求項４に記載の発明は、録画再生装置用のリモートコントロール機能を有する携帯電話によってリモートコントロールされる録画再生装置であって、録画指示されたコンテンツを録画する録画手段と、近距離無線通信により前記携帯電話から送信されたリモートコントロール指示情報を受信する無線受信手段と、前記携帯電話から送信されたリモートコントロール指示情報としての録画指示情報を、録画されるコンテンツを当該携帯電話と対応付けるための固有情報と共に受信した際は、受信した録画指示情報に基づいて、録画指示されたコンテンツを受信した固有情報と対応付けて前記録画手段で録画する録画制御手段と、を備えることを特徴としている。
また、前記携帯電話の操作によって録画指示されたか否かを判別する判別手段を備え、前記録画制御手段は、前記判別手段で携帯電話の操作によって録画指示されたと判別された場合に、録画指示されたコンテンツを暗号化して前記録画手段で録画し、前記判別手段で携帯電話の操作によらずに録画指示されたと判別された場合に、録画指示されたコンテンツを暗号化しないで前記録画手段で録画することが好ましい。
更に、再生指示されたコンテンツを再生する再生手段と、前記携帯電話から送信されたリモートコントロール指示情報としての再生指示情報を、前記固有情報と共に受信した際は、前記録画手段で録画されたコンテンツから、受信した固有情報と対応付けられて録画されたコンテンツを抽出する抽出手段と、前記抽出手段で抽出されたコンテンツを前記再生手段で再生する再生制御手段と、を備えることが好ましい。
更に、前記携帯電話の操作によって再生指示されたか否かを判別する判別手段を備え、前記再生制御手段は、前記判別手段で携帯電話の操作によって再生指示されたと判別された場合に、前記抽出手段で抽出されたコンテンツが暗号化されていれば暗号化を解除して前記再生手段で再生することが好ましい。
【０００７】
また、上記課題を解決するため、請求項８に記載の発明は、録画再生装置用のリモートコントロール機能を有する携帯電話と前記携帯電話によってリモートコントロールされる録画再生装置とからなる録画システムであって、前記携帯電話は、近距離無線通信により前記録画再生装置に対してリモートコントロール指示情報を送信する無線送信手段と、前記録画再生装置に録画動作させるための録画指示情報を入力する録画指示入力手段と、前記リモートコントロール機能が指定された状態にあって、前記録画指示入力手段で入力された録画指示情報を前記リモートコントロール指示情報として前記録画再生装置に対して送信する際は、当該録画指示情報に基づいて前記録画再生装置で録画されるコンテンツを当該携帯電話と対応付けるための固有情報と共に送信する送信制御手段と、を備え、前記録画再生装置は、録画指示されたコンテンツを録画する録画手段と、近距離無線通信により前記携帯電話から送信されたリモートコントロール指示情報を受信する無線受信手段と、前記携帯電話から送信されたリモートコントロール指示情報としての録画指示情報を、録画されるコンテンツを当該携帯電話と対応付けるための固有情報と共に受信した際は、受信した録画指示情報に基づいて、録画指示されたコンテンツを受信した固有情報と対応付けて前記録画手段で録画する録画制御手段と、を備えることを特徴としている。
また、上記課題を解決するため、請求項９に記載の発明は、録画再生装置用のリモートコントロール機能を有する携帯電話のプログラムであって、コンピュータに、近距離無線通信により前記録画再生装置に対してリモートコントロール指示情報を送信する無線送信機能と、前記録画再生装置に録画動作させるための録画指示情報を入力する録画指示入力機能と、前記リモートコントロール機能が指定された状態にあって、前記録画指示入力機能で入力された録画指示情報を前記リモートコントロール指示情報として前記録画再生装置に対して送信する際は、当該録画指示情報に基づいて前記録画再生装置で録画されるコンテンツを当該携帯電話と対応付けるための固有情報と共に送信する送信制御機能と、を実現させることを特徴としている。
また、上記課題を解決するため、請求項１０に記載の発明は、録画再生装置用のリモートコントロール機能を有する携帯電話によってリモートコントロールされる録画再生装置のプログラムであって、コンピュータに、録画指示されたコンテンツを録画する録画機能と、近距離無線通信により前記携帯電話から送信されたリモートコントロール指示情報を受信する無線受信機能と、前記携帯電話から送信されたリモートコントロール指示情報としての録画指示情報を、録画されるコンテンツを当該携帯電話と対応付けるための固有情報と共に受信した際は、受信した録画指示情報に基づいて、録画指示されたコンテンツを受信した固有情報と対応付けて前記録画機能で録画する録画制御機能と、を実現させることを特徴としている。
【発明の効果】
【０００８】
本発明によれば、録画再生装置用のリモートコントロール機能を有する携帯電話の録画指示によって録画再生装置でコンテンツが録画された場合、どの携帯電話からの録画指示かを判別することが可能になる。
【発明を実施するための最良の形態】
【０００９】
以下、図面を参照して、本発明の実施形態を詳細に説明する。
まず、本実施形態における構成について説明する。
【００１０】
図１に、本発明が適用された実施形態に係る携帯電話１０の主要部構成を示す。携帯電話１０は、図２に示すように、制御部１、液晶表示部２、キー入力部３、ＲＯＭ（Read Only Memory）４、ＲＡＭ（Random Access Memory）５、固有情報記憶部６、赤外線通信部７、音声変換回路８、無線部９を備えて構成される。
【００１１】
制御部１は、ＲＯＭ４に格納されている各種制御処理プログラムを読み出してＲＡＭ５内に展開し、それらの制御処理プログラムに従って携帯電話１０の各部の動作を統括的に制御する。以下、制御部１の制御動作について説明する。
【００１２】
制御部１は、キー入力部３の操作により、録画再生装置２０での録画が指示された場合、固有情報記憶部６に記憶された固有情報を読み出して、読み出された固有情報及び操作データを録画再生装置２０に赤外線出力させるリモコン操作処理を実行する（図５参照）。
【００１３】
また、制御部１は、図６に示す携帯電話番号入力画面（後述）において、他人が録画したコンテンツ（番組）の視聴許可を得るために当該他人が所有する携帯電話の電話番号が入力されると、コンテンツ（番組）視聴希望をするメールを作成し、指定された宛先に送信させる固有情報要求処理を実行する（図７参照）。更に、制御部１は、他の携帯電話から固有情報を取得したり、固有情報記憶部６に記憶された固有情報を他の携帯電話に通知したりする固有情報取得処理を実行する（図８参照）。
【００１４】
また、制御部１は、キー入力部３の操作により、録画再生装置２０での再生が指示された場合、固有情報記憶部６に記憶された固有情報を読み出して、読み出された固有情報と、他の携帯電話から取得された固有情報と、再生を指示する操作データを録画再生装置２０に赤外線出力する。
【００１５】
液晶表示部２は、ＬＣＤ（Liquid Crystal Display）等の表示ディスプレイを備え、制御部１から入力される表示信号に従って所要の表示処理を行う。
【００１６】
キー入力部３は、テンキー、カーソルキー、電源キー、送信キー、各種ファンクションキー等を有し、キーの押下に対応する操作信号を制御部１に出力する。
【００１７】
ＲＯＭ４は、制御部１で実行される各種制御処理プログラム及びこれらのプログラムで使用されるデータを格納している。
【００１８】
ＲＡＭ５は、制御部１により実行される各種制御プログラムや各種アプリケーションプログラムをプログラム格納エリアに展開する。また、ＲＡＭ５は、入力データ及び上記の制御処理プログラムの実行時に生じる処理結果等のデータをワークエリアに一時的に格納する。
【００１９】
固有情報記憶部６は、携帯電話１０の固有情報（数字、アルファベット等から構成される識別情報）を表すデータを記憶する。この固有情報は、携帯電話１０の操作により、録画再生装置２０においてコンテンツを録画する場合、録画されたコンテンツを再生する場合、他の携帯電話にコンテンツの視聴を許可する場合などに使用される。
【００２０】
赤外線通信部７は、赤外線を利用したＩｒＤＡ（Infrared Data Association）等の近距離無線通信により、通信可能な範囲内に位置する録画再生装置との通信を制御する。
【００２１】
音声変換回路８は、音声デジタル信号をＤ／Ａコンバータ（図示略）によりアナログ信号に変換し、スピーカ８ａに出力する。また、音声変換回路８は、通話時に、マイク８ｂから入力された音声アナログ信号を、Ａ／Ｄコンバータ（図示略）によりデジタル信号に変換する。スピーカ８ａは、音声変換回路８から入力された音声信号を増幅器（図示略）により増幅し、外部に出力する。マイク８ｂは、外部から入力された音声を音声信号に変換し、音声変換回路８に出力する。
【００２２】
無線部９は、音声信号を変調、復調する変調／復調回路（図示略）、アンテナ９ａ等により構成され、通信ネットワーク上の無線基地局との間で携帯電話用の通信プロトコルを実行し、設定された通信チャネルによりデータ通信や通話などの通信制御を行う。
【００２３】
また、携帯電話１０は、アドレス帳データ、電話帳データ、送受信された電子メールのデータ等を記憶するメモリを備える。
【００２４】
図２に、録画再生装置２０の主要部構成を示す。録画再生装置２０は、図２に示すように、アンテナ２１ａを有するデジタル放送受信部２１、画像処理部２２，音声処理部２３、表示部２４、スピーカ２５、暗号処理部２６、赤外線通信部２７、入力部２８、メモリ２９、制御部３０を備えて構成される。
【００２５】
デジタル放送受信部２１は、アンテナ２１ａを介して受信された放送信号のうち、指定されたチャンネルに対応する放送信号を抽出し、当該抽出された放送信号に対してＯＦＤＭ（Orthogonal Frequency Division Multiplexing）方式の復調を行う。すなわち、放送信号の変調方式に対応して、ＤＱＰＳＫ（Differential Quadrature Phase Shift Keying）、ＱＰＳＫ（Quadrature Phase Shift Keying）、１６ＱＡＭ（Quadracture Amplitude Modulation）、６４ＱＡＭの４種類の方式による復調を選択的に行い、復調された放送信号から画像信号と音声信号を分離し、画像信号は画像処理部２２へ出力し、音声信号は音声処理部２３へ出力する。
【００２６】
画像処理部２２は、デジタル放送受信部２１から入力された画像信号をＭＰＥＧ（Moving Picture Expert Group）-２方式に従って復号化し、映像データ（動画像データ）、静止画像データを生成する。そして、生成された画像データに各種画像処理を施し、画像処理後の画像データを表示部２４に出力する。
【００２７】
音声処理部２３は、デジタル放送受信部２１から入力された音声信号をＭＰＥＧ-２方
式に従って符号化し、音声データを生成する。そして、生成された音声データに各種データ処理を施し、データ処理後の音声データをアナログ変換し、スピーカ２５に出力する。
【００２８】
表示部２４は、ＬＣＤ（Liquid Crystal Display）等の表示ディスプレイを備え、画像処理部２２から入力された画像データを表示ディスプレイ上に表示する。スピーカ２５は、音声処理部２３から入力されたアナログ音声信号を増幅器（図示略）により増幅し、外部に出力する。
【００２９】
暗号処理部２６は、携帯電話１０から録画が指示されたとき、録画指示されたコンテンツをスクランブル処理（暗号化処理）しながら録画する。また、携帯電話１０により再生が指示されたコンテンツがスクランブル処理されて録画されたものであった場合、そのコンテンツの録画データをスクランブル解除（暗号解除）しながら再生する。
【００３０】
赤外線通信部２７は、赤外線を利用したＩｒＤＡ（Infrared Data Association）等の近距離無線通信により、通信可能な範囲内に位置する携帯電話から受信された操作信号を制御部３０に出力する。
【００３１】
入力部２８は、電源ＯＮ／ＯＦＦキー、音量調整キー等の各種キーを備え、キーの押下に対応する操作信号を制御部３０に出力する。
【００３２】
メモリ２９は、制御部３０により実行される各種制御処理プログラム及びこれらのプログラムで使用されるデータ等を記憶する。また、メモリ２９は、図３に示すように、録画再生装置２０と赤外線通信が可能な携帯電話の固有情報毎に、誰でも視聴可能な共有コンテンツ及びスクランブル処理して録画されたコンテンツの録画データを、該当する固有情報に対応付けて記憶する。図３において、スクランブルＡ、スクランブルＢとは、該当する録画データが、スクランブル処理（暗号化処理）されて録画されたデータであることを示す。
【００３３】
制御部３０は、ＣＰＵ（Central Processing Unit）、ＲＡＭ（Random Access Memory
）等から構成され、メモリ２９に格納された各種制御処理プログラムをＲＡＭに展開し、当該制御処理プログラムに従って、録画再生装置２０の各部の動作を統括的に制御する。以下、制御部３０の制御動作について説明する。
【００３４】
例えば、制御部３０は、携帯電話１０から録画が指示された場合、暗号処理部２６に対し、録画が指示されたコンテンツのスクランブル処理（暗号化処理）を指示する。また、制御部３０は、携帯電話１０から、録画されたコンテンツの再生が指示された場合、メモリ２９から、再生指示の際に同時に受信された固有情報に対応するコンテンツ（番組）を検索し、検索により抽出されたコンテンツ（番組）のリストを再生可能なリストとして表示部２４に表示させる。更に、制御部３０は、再生可能なリストの中から選択されたコンテンツがスクランブル処理されたものである場合、暗号処理部２６に対し、その選択されたコンテンツのスクランブル解除を指示する。
【００３５】
次に、図４〜図１３を参照して、本実施形態における動作について説明する。
【００３６】
携帯電話１０のキー入力部３の操作により、リモコンモードが指定されると、液晶表示部２に、図４に示すようなリモコン機能画面が表示される。リモコン機能画面には、図４に示すように、録画予定のコンテンツ（番組）を指定するための「録画番組指定」ボタン、録画されたコンテンツの再生を指示するための「録画再生」ボタン、他の携帯電話の操作により録画されたコンテンツの視聴に必要な固有情報の取得要求を指示するための「固有情報取得」ボタンが表示される。図４のリモコン機能画面において、「録画番組指定」ボタンが指定されると、図５のリモコン操作処理が開始され、「固有情報取得」ボタンが指定されると、図７の固有情報要求処理が開始される。
【００３７】
まず、図５のフローチャートを参照して、携帯電話１０において実行されるリモコン操作処理について説明する。
【００３８】
まず、キー入力部３の操作により、録画予定の番組のチャンネル、時間（例えば、録画開始時間）等を指定するためのキー入力処理が行われる（ステップＳ１）。キー入力処理後に、キー入力部３の送信キーが押下されると（ステップＳ２）、固有情報記憶部６に記憶された固有情報が読み出され（ステップＳ３）、読み出された固有情報と、ステップＳ１における操作データが録画再生装置２０に赤外線出力され（ステップＳ４）、本リモコン操作処理が終了する。携帯電話１０から録画指示を受けた録画再生装置２０では、図１１に示す録画処理が行われる。
【００３９】
次に、図７のフローチャートを参照して、携帯電話１０において実行される固有情報要求処理について説明する。
【００４０】
図４のリモコン機能画面において、「固有情報取得」ボタンが指定されると、液晶表示部２に、図６に示すような携帯電話番号入力画面が表示される。録画再生装置２０において、他の携帯電話の操作により録画された番組（コンテンツ）を視聴したい場合、図６の携帯電話番号入力画面において、その録画操作をした携帯電話の電話番号が入力される（ステップＳ１０）。携帯電話番号入力画面において、「送信」ボタンが指定されると、番組視聴の希望を通知するための電子メールが作成され（ステップＳ１１）、その作成された電子メールが、ステップＳ１０で入力された電話番号に対応する宛先（電子メールアドレス）に送信され（ステップＳ１２）、本固有情報要求処理が終了する。
【００４１】
次に、図８のフローチャートを参照して、携帯電話１０において実行される固有情報取得処理について説明する。
【００４２】
他の携帯電話から電子メールが受信されると（ステップＳ２０）、その受信された電子メールが、固有情報の取得要求であるか、固有情報を通知するものであるのかが判定される（ステップＳ２１、Ｓ２６）。
【００４３】
ステップＳ２０において受信された電子メールが、固有情報の取得要求であると判定された場合（ステップＳ２１；ＹＥＳ）、液晶表示部２に、図９に示すような固有情報取得要求メールの内容が表示される（ステップＳ２２）。図９に示す画面には、携帯電話１０の所有者が録画した番組を、メール送信元の携帯電話の所有者が視聴を希望している旨と、この視聴希望を承諾するか否かを指定するための「承諾する」ボタン及び「承諾しない」ボタンが表示される。
【００４４】
図９の画面において、「承諾しない」ボタンが指定された場合（ステップＳ２３；ＮＯ）、送信元の携帯電話に、番組視聴を承諾しないことを通知するメッセージが送信され、本固有情報取得処理が終了する。図９の画面において、「承諾する」ボタンが指定された場合（ステップＳ２３；ＹＥＳ）、固有情報記憶部６に記憶された固有情報が読み出される。そして、その読み出された固有情報を通知するための電子メールが作成され（ステップＳ２４）、その作成された電子メールが送信元の携帯電話に送信され（ステップＳ２５）、本固有情報取得処理が終了する。
【００４５】
ステップＳ２０において受信された電子メールが、固有情報の通知であると判定された場合（ステップＳ２６；ＹＥＳ）、その通知された固有情報（送信元の携帯電話の固有情報）がＲＡＭ５に記録され（ステップＳ２７）、本固有情報取得処理が終了する。ステップ２０において受信された電子メールが、固有情報取得要求、固有情報通知以外の電子メールである場合（ステップＳ２６；ＮＯ）、通常のメール処理が行われ（ステップＳ２８）、本固有情報取得処理が終了する。
【００４６】
図４のリモコン機能画面において、「録画再生」ボタンが指定されると、固有情報記憶部６に記憶された携帯電話１０の固有情報と、ステップＳ２７においてＲＡＭ５に記憶された固有情報（他の携帯電話から取得した固有情報）及び操作データ（再生指示データ）が録画再生装置２０に送信され、録画再生装置２０において、図１０に示すリモコン処理と、図１２に示す再生処理が行われる。
【００４７】
次に、図１０のフローチャートを参照して、録画再生装置２０において実行されるリモコン処理について説明する。
【００４８】
携帯電話１０からの赤外線受信があると（ステップＴ１；ＹＥＳ）、その受信情報に、携帯電話１０の固有情報が含まれているか否かが判定される（ステップＴ２）。ステップＴ２において、受信情報に固有情報が含まれていないと判定された場合（ステップＴ２；ＮＯ）、その受信情報に基づいて、コマンドの受付及び対応する処理が行われる（ステップＴ４）。
【００４９】
ステップＴ２において、受信情報に固有情報が含まれていると判定された場合（ステップＴ２；ＹＥＳ）、その固有情報がメモリ２９に記憶され（ステップＴ３）、コマンド（録画コマンド、再生コマンド等）の受付及び対応する処理（録画処理、再生処理等）が行われる（ステップＴ４）。
【００５０】
次に、図１１のフローチャートを参照して、録画再生装置２０において実行される録画処理について説明する。
【００５１】
予め設定されたタイマー予約時間（録画開始時刻）になったとき（ステップＴ１０；ＹＥＳ）又は録画コマンドが指定されたとき（ステップＴ１１；ＹＥＳ）、携帯電話１０の操作によって録画が指示されたか否かが判定される（ステップＴ１２）。
【００５２】
ステップＴ１２において、携帯電話１０の操作によって録画が指示されたと判定された場合（ステップＴ１２；ＹＥＳ）、録画指示された番組がスクランブル処理（暗号化処理）されながら録画され（ステップＴ１３）、本録画処理が終了する。ステップＴ１２において、録画再生装置２０本体の操作によって録画が指示されたと判定された場合（ステップＴ１２；ＮＯ）、通常の録画処理（スクランブル処理をしない録画処理）が行われ（ステップＴ１４）、本録画処理が終了する。
【００５３】
次に、図１２のフローチャートを参照して、録画再生装置２０において実行される再生処理について説明する。
【００５４】
図１０のステップＴ４において受け付けられたコマンドが再生コマンドである場合（ステップＴ２０；ＹＥＳ）、携帯電話１０の操作によって再生が指示されたか否かが判定される（ステップＴ２１）。ステップＴ２１において、携帯電話１０の操作によって再生が指示されたと判定された場合（ステップＴ２１；ＹＥＳ）、メモリ２９から、図１０のリモコン処理において受信された固有情報に対応する録画データが検索され、検索により抽出された番組のリストが、再生可能な番組のリストとして表示部２４に表示される（ステップＴ２２）。図１３に、再生可能な番組のリストの表示例を示す。
【００５５】
図１３に示す再生可能な番組のリストの中から、再生する番組が選択されると（ステップＴ２３；ＹＥＳ）、その選択された番組がスクランブル処理（暗号化処理）して録画されたものであるか否かが判定される（ステップＴ２４）。なお、ステップＴ２３の再生番組の選択は、携帯電話１０のキー入力部３の操作により行われてもよいし、録画再生装置２０の入力部２８の操作により行われてもよい。
【００５６】
ステップＴ２４において、選択された番組がスクランブル処理されて録画されたものであると判定された場合（ステップＴ２４；ＹＥＳ）、選択された番組の録画データがメモリ２９から読み出され、その読み出された録画データがスクランブル解除しながら再生され（ステップＴ２５）、本再生処理が終了する。
【００５７】
ステップＴ２４において、選択された番組がスクランブル処理されて録画されたものではないと判定された場合、即ち、通常の録画処理で録画されたものであると判定された場合（ステップＴ２４；ＮＯ）、選択された番組の録画データがメモリ２９から読み出され、その読み出された録画データが通常再生され（ステップＴ２８）、本再生処理が終了する。
【００５８】
ステップＴ２１において、携帯電話１０の操作によって再生が指示されなかった場合（例えば、録画再生装置２０の入力部２８の操作又は他のリモコンの操作により再生が指示された場合）（ステップＴ２１；ＮＯ）、誰でも視聴可能な共有番組のリストが表示部２４に表示される（ステップＴ２６）。ここで、誰でも視聴可能な共有番組とは、メモリ２９に記憶された各録画データのうち、スクランブル処理されていない番組を示す。
【００５９】
表示部２４に表示されたリストから、再生する番組が選択されると（ステップＴ２７；ＹＥＳ）、その選択された番組の録画データがメモリ２９から読み出され、その読み出された録画データが通常再生され（ステップＴ２８）、本再生処理が終了する。
【００６０】
以上のように、本実施形態の携帯電話１０によれば、他の携帯電話の操作によって、スクランブル処理して録画されたコンテンツ（番組）を視聴したい場合、録画操作をした携帯電話から固有情報を取得して視聴許可を得ることにより、他の携帯電話の操作によって録画されたコンテンツであっても気軽に視聴することが可能になる。
【００６１】
また、他人の携帯電話から、自分が所有する携帯電話１０の操作によって録画されたコンテンツの視聴希望があっても、視聴を承諾しない場合は、視聴を希望した人の携帯電話に固有情報を送信しないことにより、不特定多数の人の視聴を防ぐことができる。
【００６２】
なお、本実施形態における記述内容は、本発明の趣旨を逸脱しない範囲で適宜変更可能である。
【図面の簡単な説明】
【００６３】
【図１】本発明の実施形態に係る携帯電話の主要部構成を示すブロック図。
【図２】録画再生装置の主要部構成を示すブロック図。
【図３】図２の録画再生装置のメモリに格納されたデータの構成を示す図。
【図４】本実施形態の携帯電話の液晶表示部に表示されるリモコン機能画面を示す図。
【図５】本実施形態の携帯電話において実行されるリモコン操作処理を示すフローチャート。
【図６】本実施形態の携帯電話の液晶表示部に表示される携帯電話番号入力画面を示す図。
【図７】本実施形態の携帯電話において実行される固有情報要求処理を示すフローチャート。
【図８】本実施形態の携帯電話において実行される固有情報取得処理を示すフローチャート。
【図９】固有情報要求メールの画面表示例を示す図。
【図１０】録画再生装置において実行されるリモコン処理を示すフローチャート。
【図１１】録画再生装置において実行される録画処理を示すフローチャート。
【図１２】録画再生装置において実行される再生処理を示すフローチャート。
【図１３】録画再生装置の表示部に表示される再生時のリスト表示の一例を示す図。
【符号の説明】
【００６４】
１  制御部
２  液晶表示部
３  キー入力部
４  ＲＯＭ
５  ＲＡＭ
６  固有情報記憶部
７  赤外線通信部
８  音声変換回路
９  無線部
１０  携帯電話
２０  録画再生装置
２１  デジタル放送受信部
２２  画像処理部
２３  音声処理部
２４  表示部
２５  スピーカ
２６  暗号処理部
２７  赤外線通信部
２８  入力部
２９  メモリ
３０  制御部
【図１】
2007151139.tif 000003
【図２】
2007151139.tif 000004
【図３】
2007151139.tif 000005
【図４】
2007151139.tif 000006
【図５】
2007151139.tif 000007
【図６】
2007151139.tif 000008
【図７】
2007151139.tif 000009
【図８】
2007151139.tif 000010
【図９】
2007151139.tif 000011
【図１０】
2007151139.tif 000012
【図１１】
2007151139.tif 000013
【図１２】
2007151139.tif 000014
【図１３】
2007151139.tif 000015